(57)【要約】      （修正有）【課題】軽量化が図れ、しかも組立て及び分解作業が簡単で、箱状本体が使用劣化した場合には分解廃棄でき、車輪は再使用できるハンドカートを提供する。【解決手段】箱状本体Ｃと、この箱状本体Ｃから上方に延出した把手部Ｈとを、１枚の板状部材を折り曲げて形成する。そして、板状の基部に車輪９２が回動自在に取り付けられた移動用部材を、箱状本体Ｃの底面に着脱自在に挟み込む。ここで、移動用部材に、箱状本体Ｃが静止状態のときに箱状本体Ｃを支持する脚部９３を設けるのが好ましい。また、脚部９３は、基部と一体成形されているのが好ましい。また、軽量化と高強度とを実現する観点からは、板状部材として段ボールを用いるのが好ましい。【選択図】図１
0003170072.tif 000002
【実用新案登録請求の範囲】
【請求項１】
箱状本体と、この箱状本体から上方に延出した把手部とが、１枚の板状部材を折り曲げて形成されてなり、
板状の基部に車輪が回動自在に取り付けられた移動用部材が、前記箱状本体の底面に着脱自在に挟み込まれていることを特徴とするハンドカート。
【請求項２】
前記移動用部材が、前記箱状本体が静止状態のときに前記箱状本体を支持する脚部を有する請求項１記載のハンドカート。
【請求項３】
前記脚部が、前記基部と一体成形されてなる請求項２記載のハンドカート。
【請求項４】
前記板状部材が段ボールである請求項１〜３のいずれかに記載のハンドカート。
【請求項５】
前記把手部が前記箱状本体から切り離し可能又は前記箱状本体内に折り込み可能である請求項１〜４のいずれかに記載のハンドカート。
【考案の詳細な説明】
【技術分野】
【０００１】
本考案はハンドカートに関し、より詳細には箱状本体に荷物などを収納して牽引するハンドカートに関するものである。
【背景技術】
【０００２】
近年、道路や歩道の整備が進んだことなどから、底面に車輪を設けた箱状本体に荷物を収納し牽引するハンドカートが、旅行や出張などの際に広く使用されている。これら従来のハンドカートは、金属製や厚手の布製などであるため軽量化には限界があった。
【０００３】
そこで、例えば特許文献１では、ハンドカートの箱状ケースや取っ手部材などを厚紙状素材の組立て体から構成する技術が提案されている。
【先行技術文献】
【特許文献】
【０００４】
【特許文献１】特開2007-326515号公報
【考案の概要】
【考案が解決しようとする課題】
【０００５】
特許文献１の提案技術では、厚紙状素材を用いてハンドカートを作製しているので従来のものに比べて軽量化が図れると考えられるが、箱状ケースや取っ手部材、取っ手保持部材などを厚紙状素材でそれぞれ個別に形成した後、これらを組み立てる必要があるので、ハンドカートの作製作業が複雑となる。また、部材ごとに１枚の厚紙状素材が必要となるので、１台のハンドカートを作製するのに形の異なる複数枚の厚紙状素材が必要となり、厚紙状素材の物流や保管などが煩雑となる。
【０００６】
本考案は、このような従来の問題に鑑みてなされたものであり、その目的は、軽量化が図れ、しかも組立て及び分解作業が簡単で、箱状本体が使用劣化した場合には分解廃棄でき、車輪は再使用できるハンドカートを提供することにある。
【課題を解決するための手段】
【０００７】
本考案によれば、箱状本体と、この箱状本体から上方に延出した把手部とが、１枚の板状部材を折り曲げて形成されてなり、板状の基部に車輪が回動自在に取り付けられた移動用部材が、前記箱状本体の底面に着脱自在に挟み込まれていることを特徴とするハンドカートが提供される。
【０００８】
ここで、前記移動用部材に、前記箱状本体が静止状態のときに前記箱状本体を支持する脚部を設けるのが好ましい。また、前記脚部は、前記基部と一体成形されているのが好ましい。
【０００９】
また、軽量化と高強度とを実現する観点からは、前記板状部材として段ボールを用いるのが好ましい。
【００１０】
そしてまた、荷物を収納した箱状本体をそのまま保管あるいは郵送する際の利便性の観点からは、前記把手部を前記箱状本体から切り離し可能又は前記箱状本体内に折り込み可能とするのが好ましい。
【考案の効果】
【００１１】
本考案のハンドカートでは、箱状本体と把手部とが１枚の板状部材を折り曲げて形成したものであるので、組立て及び分解作業が簡単にできる。また必要な板状部材は１種類であるので板状部材の物流や保管などが容易になる。さらに、移動用部材が箱状本体に対して着脱自在であるので、箱状本体が使用劣化した場合などには、箱状本体は分解して廃棄でき、移動用部材は箱状本体から取り外して次の新しい箱状本体に取り付けることができる。
【図面の簡単な説明】
【００１２】
【図１】本考案に係るハンドカートの一実施形態を示す斜視図である。
【図２】図１のハンドカートの箱状本体及び把手部の展開図である。
【図３】本考案で使用する移動用部材の一例を示す斜視図である。
【図４】箱状本体への移動用部材の取り付け状態を示す斜視図である。
【考案を実施するための形態】
【００１３】
以下、本考案に係るハンドカートについて図に基づいて説明するが、本考案はこれらの実施形態に何ら限定されるものではない。
【００１４】
図１に、本考案に係るハンドカートの一実施形態を示す斜視図を示す。図１のハンドカートは、四角柱の箱状本体Ｃと、箱状本体Ｃから上方に延出した把手部Ｈと、箱状本体Ｃの底面に設けられた車輪９２と脚部９３とを有する。そして、把手部Ｈの上部には把持用開口６３が形成されている。ハンドカートを移動させるときは、使用者は、把持用開口６３に指を入れて、車輪９２を中心としてハンドカートを前方に傾斜させ車輪９２を転がせてハンドカートを牽引する。一方、ハンドカートを静止するときは、箱状本体Ｃを垂直状態とし、車輪９２と脚部９３とで箱状本体Ｃを支持させる。箱状本体Ｃに物品等を出し入れするときは、天板２に形成された半円状の開口部２３に指を入れて、天板２を開状態とする。なお、天板２あるいは前板１や側板５などに物品等の投入可能な投入口を設けて、天板２を開閉させることなく箱状本体Ｃに物品を投入できるようにしてもよい。
【００１５】
図２に、図１のハンドカートの展開図を示す。ハンドカートの箱状本体Ｃと把手部Ｈとは、１枚の板状部材を打ち抜いて形成したものである。板状部材としては従来公知のものが使用できるが、使用強度等を考慮すると段ボールや厚紙などが好適であり、軽量化をも考慮すると段ボールがより好ましい。
【００１６】
図２に示すハンドカートでは、四角形状の前板１の左右に、破線で示す折線（以下、単に「折線」と記す）を介して側板４と側板５とが連設され、前板１の上下に折線を介して天板２と底板３とが連設されている。天板２の上辺には折線を介して係止フラップ２１が連設されている。天板２と係止フラップ２１との間の折線の略中央には、半円状の切込み２２が形成されており、天板２に対して係止フラップ２１を垂直に折り曲げると、天板２の上辺中央に半円状の開口部２３が形成される（図１を参照）。なお、図２において破線で示す折線は、「切罫」「押罫」「ミシン罫」「リード罫」などいずれの罫線を用いてもよいが、所定の強度を維持させる観点からは押罫が望ましい。
【００１７】
前板１と底板３との間の折線には、所定間隔を隔てて一対の「コ」字状の切込み３２ａ，３２ｂが形成されており、前板１に対して底板３を略垂直に折り曲げると、四角形状の一対の係止開口３３ａ，３３ｂ（図４に図示）が形成される。また、底板３の下辺には所定間隔を隔てて一対の差込み片３１ａ，３１ｂが形成されている。
【００１８】
そして、側板４の左辺には折線を介して裏板６が連設されている。裏板６の左辺には接着フラップ６２が連設され、裏板６の上辺には折線を介して把手板７が連設され、また裏板６の下辺には折線を介して覆い板８が連設されている。そして、裏板６の下部には、底板３の差込み片３１ａ，３１ｂと対応する位置に差込み開口６１ａ，６１ｂが形成されている。
【００１９】
裏板６の上部には把持用開口６３が形成され、把手板７の、把持用開口６３に対応する位置には、「コ」字状の切込みによって係止片７１が形成されている。後述するように、ハンドカートを組み立てる際に、把手板７を折線で折り曲げて裏板６の上部に重ね合わせ、係止片７１を把持用開口６３に押し入れることによって、把手板７と裏板６とが離間することが防止される。また、使用者が把持用開口６３に指を入れて持った際に指全体に負荷がかかるようになる。
【００２０】
覆い板８には、車輪９２を外方に突出させるための開口８１と、脚部９３を外方に突出させるための開口８２とが形成されている。また、覆い板８の下辺には、所定間隔を隔てて一対の係止片８３ａ，８３ｂが折線を介して連設されている。係止片８３ａ，８３ｂは、差込み板８３１と、差込み板８３１の左右に折線を介して連設された一対の爪板８３２，８３３とを有する。差込み板８３１の長さは、底板８に形成される係止開口３３ａ，３３ｂ（図４に図示）よりも若干短い長さとされている。
【００２１】
図３に、本考案で使用する移動用部材の一例を示す斜視図を示す。この図の移動用部材９は、板状の基部９１と、基部９１の一方面側から外方に突出した截頭四角錐形状の脚部９３と、基部９１の、脚部９３と同一面側に形成された一対の支持板９４間に回動自在に軸支された車輪９３とを有する。基部９１と脚部９３、一対の支持板９４とは、プラスチック等によって一体成形されている。なお、基部９１と脚部９３、支持板９４とはそれぞれ個別に作製した後に接合してもよいが、高い強度を得る観点からは、一体成形するのが好ましい。
【００２２】
次に、本考案のハンドカートの組立てについて説明する。まず、図２に示す形状の板状部材を組立てて箱状本体Ｃ及び把手部Ｈを形成する。具体的には、前板１、後板６、側板４と側板５と折線で垂直に折り曲げて、接着フラップ６２の外側面と側板５の右辺とを重ね合わせて接合する。次いで、フラップ４１，４２，５１，５２を内方へ折り曲げた後、底板３を折線で垂直に折り曲げて、底板３の一対の差込み片３１ａ，３１ｂを裏板６の差込み開口６１ａ，６１ｂに差込んで固定する。また、把手板７を折線で１８０°折り曲げて裏板６の上部に重ね合わせ、把手部Ｈ（図１に図示）を形成する。そして、天板２及び係止フラップ２１を折線でそれぞれ垂直に折り曲げて、箱状本体Ｃの上面開口を封止する。このとき、前述のように、天板２には半円状の開口部２３が形成される（図１を参照）。
【００２３】
次いで、底板３と覆い板８との間に移動用部材を挟み込む。図４に、底板３と覆い板８との間に移動用部材９を挟み込む際の状態図を示す。なお、この図は、箱状本体Ｃの底板３を上側にした状態の部分斜視図である。覆い板８の開口８１及び開口８２の、底板３の対応する位置に車輪９２及び脚部９３が位置するように移動用部材９を載置する。このとき、移動用部材９を底板３に接着剤やネジなどの固定部材で固定してもよいが、移動用部材９の着脱を容易にする観点からは単に載置するのが好ましい。
【００２４】
そして、覆い板８を折線で折り曲げて底板３と重ね合わせる。すると、移動用部材９の車輪９２及び脚部９３は、開口８１及び開口８２を通って外方へ突出する。なお、覆い板８の開口８１及び開口８２に車輪９２及び脚部９３を嵌め入れて、移動用部材９を覆い板８に取り付け、次いで覆い板８を折り曲げて底板３に重ね合わせるようにしてももちろん構わない。覆い板８の底板３との接続は、覆い板８の上辺に連設された一対の係止片８３ａ，８３ｂを底板３の係止開口３３ａ，３３ｂに差し込むことにより行う。具体的には、係止片８３ａ，８３ｂの差込み板８３１（図２に図示）の両側の爪板８３２，８３３（図２に図示）をそれぞれ内側に折り畳み、底板３の係止開口３３ａ，３３ｂに差し込む。前述のように、差込み板８３１の長さは、底板３の係止開口３３ａ，３３ｂよりも若干短い長さとされている。したがって、差込み板８３１を係止開口３３ａ，３３ｂに差し込むと、差込み板８３１の両側の爪板８３２，８３３が復元力でその後外側に開き、差込み板８３１は係止開口３３ａ，３３ｂから抜けないようになる。
【００２５】
以上説明したハンドカートにおいて、製造段階で、接着フラップ６２（図２に図示）の外側面と側板５（図２に図示）の右辺とを重ね合わせて接合し折り畳んでおけば、使用者は接着剤は接着テープ、ステープラーなどの接続材を用いることなく簡単に組み立てることができるようになる。
【００２６】
使用等によって箱状本体Ｃが劣化した場合には、箱状本体Ｃの内方から、係止片８３ａ，８３ｂの爪板８３２，８３３を内側に折り曲げるとともに、覆い板８に対して係止片８３ａ，８３ｂを引き出す方向に力を加え、覆い板８を開けて移動用部材９を取り外す。取り外した移動用部材９は、次の新しい箱状本体Ｃに取り付けて再使用できる。また、劣化した箱状本体Ｃは折り畳むことで容積を小さくでき、さらに段ボールなどの紙材料で構成されている場合には破断することでより縮小でき、有害物質の生じない焼却ゴミ等として処理もできる。
【００２７】
また、移動用部材９を箱状本体Ｃから取り外すことにより、荷物を収納した箱状本体Ｃをそのまま保管あるいは郵送することもできる。このような場合には、保管や輸送などの際に把手部Ｈが障害となることがあるので、把手部Ｈを箱状本体Ｃから切り離し可能あるいは箱状本体Ｃ内へ折り込み可能としておくのが望ましい。このとき、把手部Ｈと箱状本体Ｃとの境界部分にリード罫や押罫など形成し、切り離しや折り込みを容易にしておいてもよい。
【産業上の利用可能性】
【００２８】
本考案のハンドカートでは、箱状本体Ｃと把手部Ｈとが１枚の板状部材を折り曲げて形成したものであるので、組立て及び分解作業が簡単にでき有用である。また必要な板状部材は１種類であるので板状部材の物流や保管などが容易になる。さらに、移動用部材９が箱状本体Ｃに対して着脱自在であるので、箱状本体Ｃが使用劣化した場合などには、箱状本体Ｃは分解して廃棄でき、移動用部材９は箱状本体Ｃから取り外して次の新しい箱状本体Ｃに取り付けることができる。
【符号の説明】
【００２９】
Ｃ    箱状本体
Ｈ    把手部
９    移動用部材
９１    基部
９２    車輪
９３    脚部
【図１】
0003170072.tif 000003
【図２】
0003170072.tif 000004
【図３】
0003170072.tif 000005
【図４】
0003170072.tif 000006